(57)【特許請求の範囲】
【請求項１】
ナット部材で移動される移動フードと、固定フードとの一対のフードにより、リールのリール脚を挟持して固定することが可能なリール脚固定装置を備えた釣竿であって、リール脚固定装置には、ナット部材のネジ部とナット部材を移動フードに連結する連結部との間に支持部材を介して支えられかつ一部を突出させた凸状弾性機構と、この凸状弾性機構の突出した一部に対向した部位でナット部材の内側面に周方向の全周に亘って形成され、この凸状弾性機構が係脱可能に係合する複数の凹状係合部とを備えたクリック機構が設けられており、凹状係合部に対する凸状弾性機構の接触角度は、４５度以上８０度以下に設定されていることを特徴とする釣竿。
【請求項２】
前記凸状弾性機構に対する凹状係合部の接触角度は、４５度以下に設定されていることを特徴とする請求項１に記載の釣竿。
【発明の詳細な説明】
【０００１】
【発明の属する技術分野】
本発明は、リールのリール脚を釣竿に固定するためのリール脚固定装置を備えた釣竿に関する。
【０００２】
【従来の技術】
従来、例えば実開平２−３２５８号公報には、リール脚の一方側を固定受体にセットした後、支持部材の外周に回転可能に設けられたねじ環を回転操作して、可動押圧体をリール脚の他方側に圧接させることによって、リール脚を釣竿に固定することが可能なリール脚固定装置が開示されている。
【０００３】
このようなリール脚固定装置において、ねじ環には、１個の係合突起が設けられ、一方、支持部材には、係合突起が係合可能な回り止め溝が周方向に沿って複数個形成されている。そして、ねじ環を回転操作して可動押圧体をリール脚の他方側に向けて移動させている間、係合突起は順に複数個の回り止め溝に対して係合及び脱出を繰り返し、その後、可動押圧体と固定受体との間にリール脚が挟持された状態（即ち、リール脚が釣竿に固定された状態）において、係合突起が回り止め溝に係合することによって、ねじ環を回り止めした状態に維持させることができるようになっている。
【０００４】
【発明が解決しようとする課題】
しかしながら、従来のリール脚固定装置では、係合突起が回り止め溝に対して鋭角状態で係合するように設計されているため、ねじ環の回転操作を軽快に且つ円滑に行うことが困難になっている。
【０００５】
また、このように係合突起が回り止め溝に対して鋭角状態で係合させる設計では、特に、可動押圧体と固定受体との間にリール脚が挟持された状態（即ち、リール脚が釣竿に固定された状態）において、係合突起に対して負荷が作用した場合、ねじ環が固着されて緩まなくなり、その結果、釣竿に固定したリール脚を取り外すことができなくなってしまう場合がある。
【０００６】
更に、係合突起が回り止め溝に対して鋭角状態で係合させる設計では、ねじ環の回転操作時に発生するクリック音が不快なものとなるばかりか、ねじ環の回転操作中の全体に亘って安定したクリック音を発生させることができない。特に、可動押圧体と固定受体との間にリール脚を挟持させる直前では、クリック音を発生しなくなってしまう場合がある。このような場合、ねじ環の回転操作状態を把握することが困難になってしまう。
【０００７】
本発明は、このような問題を解決するために成されており、その目的は、リール脚を固定する際の固定操作中の全体に亘って安定した且つ心地良いクリック音を発生し、その際の固定操作を軽快且つ円滑に行うことが可能であると共に、最適な固定力でリール脚を固定することが可能なリール脚固定装置を備えた釣竿を提供することにある。
【０００８】
【発明の属する技術分野】
このような目的を達成するために、本発明の釣竿は、ナット部材で移動される移動フードと、固定フードとの一対のフードにより、リールのリール脚を挟持して固定することが可能なリール脚固定装置を備えた釣竿であって、リール脚固定装置には、ナット部材のネジ部とナット部材を移動フードに連結する連結部との間に支持部材を介して支えられかつ一部を突出させた凸状弾性機構と、この凸状弾性機構の突出した一部に対向した部位でナット部材の内側面に周方向の全周に亘って形成され、この凸状弾性機構が係脱可能に係合する複数の凹状係合部とを備えたクリック機構が設けられており、凹状係合部に対する凸状弾性機構の接触角度は、４５度以上８０度以下に設定されていることを特徴とする。
【０００９】
【発明の実施の形態】
以下、本発明の第１の実施の形態に係る釣竿について、図１〜図４を参照して説明する。
【００１０】
図１には、釣竿の構成が示されており、この釣竿には、釣糸（図示しない）を巻回及び繰出可能なリールのリール脚（図示しない）を固定するための、リール脚固定装置１が設けられている。
【００１１】
図１に示すように、リール脚固定装置１は、釣竿の竿管（元竿管）３に固定された装置本体部５と、この装置本体部５に一体的に形成され且つリールのリール脚を載置可能なリール脚載置部７と、このリール脚載置部７の基端側に形成され且つリール脚の基端を固定可能な固定フード９と、リール脚載置部７の先端側に移動可能に設けられ且つリール脚の先端に圧接可能な移動フード１１と、この移動フード１１を移動させるナット部材１３とを備えている。
【００１２】
装置本体部５は、竿管３とは別体で構成して、両者を接着固定しても良いし、或いは、竿管３と一体的に構成しても良い。いずれの場合も、装置本体部５は、例えば合成樹脂やＦＲＰ材料で形成することができる。
【００１３】
固定フード９には、そのリール脚載置部７側に、リール脚の基端を嵌め込むことが可能な嵌込開口部９ａが形成されており、これに対して、移動フード１１には、そのリール脚載置部７側（即ち、固定フード９の嵌込開口部９ａに対向した側）に、リール脚の先端を嵌め込ことが可能な嵌込開口部１１ａが形成されている。なお、固定フード９は、装置本体部５とは別体で構成して、両者を接着固定しても良いし、或いは、装置本体部５と一体的に構成しても良い。いずれの場合も、固定フード９は、例えば合成樹脂やＦＲＰ材料で形成することができる。
【００１４】
ナット部材１３は、装置本体部５の外周にネジ部１４（図２参照）を介して回転可能に取り付けられている。ネジ部１４は、ナット部材１３の内周に形成された雌ネジ（図示しない）と、装置本体部５の外周に形成された雄ネジ（図示しない）とから構成されている。この場合、ナット部材１３を回転操作すると、このナット部材１３は、その雌ネジが装置本体部５の雄ネジに螺合しながら移動して行く。なお、ナット部材１３は、例えば合成樹脂やＦＲＰ材料で形成することが可能であり、その外周には、回転操作時の滑り止めを図るために、複数の溝から成る滑止部１６が形成されている。
【００１５】
移動フード１１は、連結部１５を介してナット部材１３に連結されており、ナット部材１３を回転操作すると、それに連動して、固定フード９方向に移動させることができるようになっている。具体的には、連結部１５は、一端側がナット部材１３に固定された連結部材１８（図２参照）を備えており、この連結部材１８の他端側には、抜け止め凹凸部１８ａが形成されている。一方、移動フード１１には、連結部材１８側に、抜け止め凹凸部１８ａが係合可能な凸凹係合部２０が形成されている。この場合、抜け止め凹凸部１８ａを凸凹係合部２０に係合させることによって、移動フード１１を連結部材１８を介してナット部材１３に連結させることが可能となり、この状態において、ナット部材１３を回転操作すれば、それに連動して、移動フード１１を固定フード９方向に移動させることができる。
【００１６】
本実施の形態では、移動フード１１は、回り止めされた状態で移動させるように構成されている。具体的には、装置本体部５の外面には、ナット部材１３側から固定フード９側に向かって直線状に延出したガイド溝１７（図２参照）が形成されており、このガイド溝１７に、移動フード１１の回り止め部１１ｂ（図２参照）が入り込んでいる。従って、ナット部材１３を回転操作して移動フード１１を移動させる間、回り止め部１１ｂがガイド溝１７に沿って摺動することによって、移動フード１１は、回り止めされた状態で移動する。なお、移動フード１１は、例えば合成樹脂やＦＲＰ材料で形成することができる。
【００１７】
このような構成において、リール脚載置部７にリールのリール脚を載置し、このリール脚の基端を固定フード９の嵌込開口部９ａに嵌め込んだ後、ナット部材１３を回転操作すると、移動フード１１がリール脚の先端に向かって移動し、この移動フード１１の嵌込開口部１１ａにリール脚の先端が嵌め込まれたとき、更にナット部材１３を回転操作することによって、リール脚載置部７に載置されたリール脚を固定フード９と移動フード１１との間に挟持して固定させることができる。
【００１８】
次に、上述したようなリール脚固定装置１の内部構成について、図２〜図４を参照して説明する。
【００１９】
図２に示すように、リール脚固定装置１には、装置本体部５及び移動フード１１並びにナット部材１３の３部品のうち、２部品間にクリック機構１９が設けられている。このクリック機構１９は、ナット部材１３の回転操作中の全体に亘って安定した且つ心地良い（軽快な）クリック音を発生し、その際の固定操作を軽快且つ円滑に行うことができるように構成されている。
【００２０】
本実施の形態に適用したクリック機構１９は、その一例として、ナット部材１３のネジ部１４と、ナット部材１３を移動フード１１に連結する連結部１５との間に設けられている。このような配置構成によれば、ネジ部１４の径方向の厚さ寸法及び連結部１５の径方向の厚さ寸法を利用して、クリック機構１９をコンパクトに収容することが可能となる。
【００２１】
クリック機構１９は、凸状弾性機構２１と、この凸状弾性機構２１が所定の係合力で係合及び脱出可能（以下、係脱可能という）に係合する複数の凹状係合部２３とを備えており、ナット部材１３の回転操作に連動して凸状弾性機構２１が複数の凹状係合部２３に順に係脱を繰り返して行き、そして、リール脚載置部７に載置されたリール脚が固定フード９と移動フード１１との間に挟持された状態（リール脚が釣竿に固定された状態）において、凸状弾性機構２１が凹状係合部２３に係合することによって、ナット部材１３を回り止めした状態に維持させることができるようになっている。
【００２２】
図３及び図４に示すように、凸状弾性機構２１は、装置本体部５の外周面に回り止めされた環状の支持部材２５と、この支持部材２５に支持された略Ｕ字状の弾性体２７とを備えており、弾性体２７には、中央部分に、その一部が他の部分よりも突出した凸状係合部２９が形成されている。
【００２３】
弾性体２７の材料としては、例えば、バネ鋼、ＳＵＳ、ＢＳ等の金属、セラミックス、合成樹脂の他に、エラストマー樹脂やゴム材を弾性体２７の一部に用いて弾性力を付与するようにしても良い。また、凸状係合部２９の材料としては、大きなクリック音を発生させることが可能な材料、例えば、金属、セラミックス等の硬質材料を用いることが好ましい。
【００２４】
環状の支持部材２５は、その内側に回止用凸片３１が形成され、一方、装置本体部５の外周面には、回止用凸片３１を嵌め込むことが可能な回止用凹所３３（図３（ａ）参照）が形成されており、回止用凸片３１を回止用凹所３３に嵌め込むことによって、支持部材２５を装置本体部５の外周面に回り止めさせることができるようになっている。
【００２５】
略Ｕ字状の弾性体２７には、その両端に、外向きに若干折り返されたストッパ部２７ａが形成されており、一方、支持部材２５には、弾性体２７全体をガタ付くこと無く挟持することが可能な挟持溝３５が形成されていると共に、各々のストッパ部２７ａを受け取って支持することが可能な支持片３７が内向きに突設されている。また、各支持片３７には、その内側に所定の角度の傾斜面３７ａ（図４（ａ）参照）が形成されている。
【００２６】
このような凸状弾性機構２１において、図３（ａ）及び図４（ｂ）に示すように、弾性体２７を支持部材２５の挟持溝３５に沿って挿入した後、弾性体２７の各ストッパ部２７ａを支持部材２５の各支持片３７（傾斜面３７ａ）に夫々当て付けることによって、各ストッパ部２７ａは、各支持片３７（傾斜面３７ａ）によって受け取られ、そのとき、各ストッパ部２７ａは、若干内向きに押圧（弾性変形）された状態で支持される。この状態において、弾性体２７は、その各ストッパ部２７ａ近傍領域が支持片３７の傾斜面３７ａに沿って円滑に摺動可能な状態に維持され、その結果、弾性体２７は、その凸状係合部２９が矢印Ｓ方向に円滑に弾性的に変位することができるように、支持部材２５に抜け止め支持されることになる。
【００２７】
このように弾性体２７を支持部材２５に抜け止め支持させたことによって、ナット部材１３及び移動フード１１の内側に弾性体２７を組み付ける際の組付作業がし易くなる。また、連結部材１８を分解可能に構成した場合には、弾性体２７の着脱が簡単になり、その結果、メンテナンスがし易くなる。また、弾性体２７は、支持部材２５に対して、円滑に弾性的に変位できるように支持されているため、ナット部材１３や移動フード１１の寸法にバラツキがあっても、弾性体２７がそれに合わせて弾性変形して、凸状係合部２９を長期間に亘って確実に且つ安定して複数の凹状係合部２３に係合させることができる。
【００２８】
この場合、弾性体２７を支持部材２５に支持する際に、弾性体２７の全周の５０％以上の領域に亘って支持フリーな状態が確保されるように、支持部材２５と弾性体２７との間に空隙を形成することが好ましい。なお、空隙を形成する方法としては、例えば、支持部材２５を一部切り欠いて開口を形成する方法が適用できる。
【００２９】
また、複数の凹状係合部２３は、図２及び図３に示すように、ナット部材１３の内側面に、その周方向全体に亘って一定間隔で形成されており、ナット部材１３を回転操作することによって、凸状弾性機構２１の弾性体２７の凸状係合部２９を順に係脱可能に係合させることができるようになっている。なお、本実施の形態では、その一例として、ナット部材１３に複数の凹状係合部２３を形成しているが、これに限定されることは無く、例えば移動フード１１やその他の部材に複数の凹状係合部２３を形成しても良い。
【００３０】
凹状係合部２３は、クリック音の響きを引き立てたい場合、金属材で形成すると良い。また、耐摩耗性を向上指せる場合には、セラミックス等で凹状係合部２３を形成すると良い。更に、軽量化を図るためには、合成樹脂等で凹状係合部２３を形成すれば良い。
【００３１】
本実施の形態では、これら複数の凹状係合部２３は、ナット部材１３を回転操作して凸状弾性機構２１の弾性体２７の凸状係合部２９を順に係脱可能に係合させている間、安定した且つ心地良いクリック音を発生し、その際の固定操作を軽快且つ円滑に行うことができると共に、最適な固定力でリール脚を固定することができるように設計されている。
【００３２】
具体的には、図３（ｃ），（ｄ）に示すように、凹状係合部２３は、夫々、凸状係合部２９に対して所定の接触角度（係合角度）Ｗ１，Ｗ２で係合するように設計されており、一方、凸状係合部２９は、凹状係合部２３に対して所定の接触角度（係合角度）Ｘ１，Ｘ２で係合するように設計されている。この場合、接触角度Ｗ１，Ｗ２、Ｘ１，Ｘ２は、Ｗ１＜Ｘ１、Ｗ２＜Ｘ２なる関係を満足するように設定される。即ち、接触角度Ｘ１，Ｘ２は、４５度〜８０度（好ましくは、４５度〜７５度）の範囲内に設定することが好ましく、一方、接触角度Ｗ１，Ｗ２は、０度〜４５度の範囲内に設定することが好ましい。
【００３３】
このように、凹状係合部２３の接触角度Ｗ１，Ｗ２を小さくし、且つ、凸状係合部２９の接触角度Ｘ１，Ｘ２を大きく且つなだらかにしたことによって、図３（ｂ）に示すように、凸状係合部２９と凹状係合部２３との間に若干の隙間Ｄが形成され、その結果、弾性体２７の凸状係合部２９を急激に係合させて、クリック音を大きく（高く）することができると共に、凸状係合部２９と凹状係合部２３の間の係脱がし易くなり、ナット部材１３の回転操作を軽快に行うことができる。
【００３４】
なお、接触角度Ｗ１，Ｗ２、Ｘ１，Ｘ２を適宜選択的に変化させることによって、ナット部材１３の回転操作に際し、締め付け方向に回転し易く、その逆方向に回転し難くすることも可能である。
【００３５】
以上、本実施の形態によれば、リール脚を固定する際の固定操作中の全体に亘って安定した且つ心地良いクリック音を発生し、その際の固定操作を軽快且つ円滑に行うことが可能であると共に、最適な固定力でリール脚を固定することが可能なリール脚固定装置１を備えた釣竿を提供することができる。
【００３６】
次に、本発明の第２の実施の形態に係る釣竿について、図５及び図６を参照して説明する。なお、本実施の形態の説明に際し、上述した第１の実施の形態と同一の構成には、同一符号を付して、その説明を省略する。
【００３７】
図５（ａ）に示すように、本実施の形態に適用した連結部１５は、一端側がナット部材１３に回動自在に連結され且つ他端側が装置本体部５に回り止めされた連結部材３９を備えている。なお、移動フード１１は、連結部材３９の他端側に回動自在に連結されている。
【００３８】
連結部材３９の一端側には、凹凸部４１が形成され、一方、ナット部材１３には、凹凸部４１が係合可能な凸凹部４３が形成されており、凹凸部４１を凸凹部４３に係合させることによって、連結部材３９の一端側をナット部材１３に回動自在に連結させることができる。また、連結部材３９の他端側には、回止用凸部４５が形成され、一方、装置本体部５の外周面には、回止用凸部４５が嵌合可能な回止用凹部４７が形成されており、回止用凸部４５を回止用凹部４７に嵌合させることによって、連結部材３９の他端側を装置本体部５に回り止めさせることができる。更に、連結部材３９の他端側には、凹凸部４９が形成され、一方、移動フード１１には、凹凸部４９が係合可能な凸凹部５１が形成されており、凹凸部４９を凸凹部５１に係合させることによって、連結部材３９の他端側を移動フード１１に回動自在に連結させることができる。
【００３９】
また、図５及び図６に示すように、本実施の形態に適用したクリック機構１９において、凸状弾性機構２１は、連結部材３９に固定された環状の弾性体５３を備えている。環状の弾性体５３は、装置本体部５の外周を囲繞するように構成されており、その一部が他の部分よりも突出した凸状係合部２９を備えている。また、クリック機構１９の複数の凹状係合部２３は、ナット部材１３の端面（連結部材３９に固定された環状の弾性体に対向する面）に、その周方向全体に亘って一定間隔で形成されており、ナット部材１３を回転操作することによって、凸状弾性機構２１の弾性体２７の凸状係合部２９を順に係脱可能に係合させることができるようになっている（図６（ｂ）参照）。この場合、凹状係合部２３と凸状係合部２９との間の接触角度の設計値は、上述した第１の実施の形態と同一であるため、その説明は省略する。
【００４０】
この場合、環状の弾性体５３に凸状係合部２９を構築する方法としては、図５（ｂ）に示すように、弾性体５３の一部を周方向に沿って２つに分割し、その一方の分割片を立ち上げることによって、凸状係合部２９を構築しても良いし、又は、図５（ｂ）のように分割すること無く、弾性体５３を単体のまま利用して、その一部を他の部分よりも突出させることによって、凸状係合部２９を構築しても良い。
【００４１】
また、弾性体５３の材料としては、例えば、バネ鋼、ＳＵＳ、ＢＳ等の金属、セラミックス、合成樹脂の他に、エラストマー樹脂やゴム材を弾性体５３の一部に用いて弾性力を付与するようにしても良い。
【００４２】
なお、その他の構成並びに効果については、上述した第１の実施の形態と同様であるため、その説明は省略する。
【００４３】
次に、本発明の第３の実施の形態に係る釣竿について、図７を参照して説明する。なお、本実施の形態の説明に際し、上述した第１及び第２の実施の形態と同一の構成には、同一符号を付して、その説明を省略する。
【００４４】
図７（ａ），（ｂ）に示すように、本実施の形態は、上述した第２の実施の形態の改良であって、クリック機構１９以外の構成は、第２の実施の形態と同一であるため、以下の説明では、クリック機構１９の説明に止める。
【００４５】
本実施の形態に適用したクリック機構１９において、凸状弾性機構２１は、その凸状係合部２９が連結部材３９に弾性的に支持されるようになっている。具体的には、凸状係合部２９は、バネ５５によって弾性的に支持されており、このバネ５５が連結部材３９に支持されている。
【００４６】
バネ５５の材料としては、例えば、バネ鋼、ＳＵＳ、ＢＳ等の金属、セラミックス、合成樹脂の他に、エラストマー樹脂やゴム材をバネ５５の一部に用いて弾性力を付与するようにしても良い。
【００４７】
一方、クリック機構１９の複数の凹状係合部２３は、第２の実施の形態と同様に、ナット部材１３の端面（連結部材３９に弾性的に支持された凸状係合部２９に対向する面）に、その周方向全体に亘って一定間隔で形成されており、ナット部材１３を回転操作することによって、凸状弾性機構２１の凸状係合部２９を順に係脱可能に係合させることができるようになっている（図７（ｂ）参照）。この場合、凹状係合部２３と凸状係合部２９との間の接触角度の設計値は、上述した第１の実施の形態と同一であるため、その説明は省略する。
【００４８】
なお、その他の構成並びに効果については、上述した第１及び第２の実施の形態と同様であるため、その説明は省略する。
【００４９】
また、図７（ｃ）には、本実施の形態の変形例に係るクリック機構１９の構成が示されており、このクリック機構１９において、凸状係合部２９及びバネ５５から成る凸状弾性機構２１は、ホルダ５７内に収容されて１つにユニット化されている。また、凸状弾性機構２１が支持される部分（例えば、移動フード１１、ナット部材１３、連結部材３９等の固定部位５９）は、薄肉化されている。
【００５０】
このような構成によれば、固定部位５９に凸状弾性機構２１を支持した状態において、凸状弾性機構２１は、その後部側（凸状係合部２９とは反対側）の部分が支持されていないフリーな状態となる。この場合、ナット部材１３を回転操作して、凸状弾性機構２１の凸状係合部２９を順に複数の凹状係合部２３に係脱させて行くと、そのときのクリック音を大きく（高く）共鳴させることが可能となる。
【００５１】
なお、上述した第１〜第３の実施の形態において、移動フード１１は、回り止めされた状態で移動させるように構成したが、これに限定されることは無く、ナット部材１３を回転操作と共に回転しながら移動するように構成しても良い。また、クリック機構１９の配置位置は、上述した第１〜第３の実施の形態に限定されることは無く、任意の位置に形成することができる。
【００５２】
【発明の効果】
本発明によれば、コンパクト且つ組み付けが容易でメンテナンス性に優れ、更に、リール脚を固定する際の固定操作中の全体に亘って安定した且つ心地良いクリック音を発生し、その際の固定操作を軽快且つ円滑に行うことが可能であると共に、最適な固定力でリール脚を固定することが可能なリール脚固定装置を備えた釣竿を提供することができる。
【図面の簡単な説明】
【図１】本発明の第１の実施の形態に係る釣竿に設けられたリール脚固定装置の外観構成を示す図。
【図２】図１に示したリール脚固定装置の内部構成を示す図。
【図３】（ａ）は、図２のＡ−Ａ線に沿う断面図、（ｂ）は、クリック機構の構成を拡大して示す図、（ｃ）は、凹状係合部の接触角度を示す図、（ｄ）は、凸状係合部の接触角度を示す図。
【図４】（ａ）は、クリック機構の環状の支持部材の構成を示す図、（ｂ）は、同図（ａ）に示した支持部材に弾性体が支持された状態を示す図。
【図５】（ａ）は、本発明の第２の実施の形態に係る釣竿に設けられたリール脚固定装置の内部構成を示す図、（ｂ）は、クリック機構の弾性体の構成を示す図、（ｃ）は、同図（ｂ）のＣ−Ｃ線に沿う断面図。
【図６】（ａ）は、第２の実施の形態に適用したクリック機構の凹状係合部の構成を示す図、（ｂ）は、第２の実施の形態に適用したクリック機構の拡大図。
【図７】（ａ）は、本発明の第３の実施の形態に係る釣竿に設けられたリール脚固定装置の内部構成を示す図、（ｂ）は、第３の実施の形態に適用したクリック機構の拡大図、（ｃ）は、第３の実施の形態の変形例に係るクリック機構の構成を示す図。
【符号の説明】
５  装置本体部
１９  クリック機構
２１  凸状弾性機構
２３  凹状係合部
２５  支持部材
２７  弾性体
２９  凸状係合部
【図１】
0003706767.tif 000002
【図２】
0003706767.tif 000003
【図３】
0003706767.tif 000004
【図４】
0003706767.tif 000005
【図５】
0003706767.tif 000006
【図６】
0003706767.tif 000007
【図７】
0003706767.tif 000008